【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
事業者の展開において第１の事業者に関連する第１のノードが無認可無線周波数スペクトル帯域を介して送信すべき緊急データを有すると前記第１のノードによって決定することと、
前記第１のノードが送信すべき緊急データを有するという前記決定に応答して前記第１のノードのリッスンビフォアトーク（ＬＢＴ）譲歩パラメータを調整することと、
前記第１のノードによって前記無認可無線周波数スペクトル帯域を介して信号を送信することと、前記信号が、前記第１のノードが送信すべき緊急データを有することを示す、
マルチキャスト送信を介して前記緊急データを送信することと
を備える、ワイヤレス通信の方法。
【請求項２】
前記信号が、前記第１のノードによる前記緊急データの送信の最大時間スパンの指示をさらに備える、請求項１に記載の方法。
【請求項３】
前記マルチキャスト送信が、マルチメディアブロードキャストマルチキャストサービス（ＭＢＭＳ）に関連する、請求項１に記載の方法。
【請求項４】
前記第１のノードによる前記緊急データの前記送信中に前記無認可無線周波数スペクトル帯域において利用可能な送信リソースを割り振ることをさらに備え、ここにおいて、前記割振りは、
前記無認可無線周波数スペクトル帯域におけるすべての利用可能な送信リソースを前記ＭＢＭＳに割り振ること、または
前記無認可無線周波数スペクトル帯域における利用可能な送信リソースを前記ＭＢＭＳとユニキャストとの間で分割することと、ここにおいて、前記緊急データが前記ＭＢＭＳと前記ユニキャストの両方を介して送信される、
のうちの１つを備える、請求項３に記載の方法。
【請求項５】
前記第１のノードが前記緊急データを送信することを完了したことを示す第２の信号を送信すること
をさらに備える、請求項１に記載の方法。
【請求項６】
前記第２の信号が、クリアチャネルアセスメント（ＣＣＡ）免除送信（ＣＥＴ）を使用して送信される、請求項５に記載の方法。
【請求項７】
前記ＬＢＴ譲歩パラメータが、第１のＬＢＴ譲歩パラメータまたは第２のＬＢＴ譲歩パラメータのうちの１つを備え、
前記第１のＬＢＴ譲歩パラメータは、前記無認可無線周波数スペクトル帯域へのアクセスを譲歩するように事業者の前記展開において前記第１のノードをトリガする連続フレームの数を定義し、
前記第２のＬＢＴ譲歩パラメータは、前記第１のＬＢＴ譲歩パラメータによって定義される前記数の連続フレームの送信に続いて前記第１のノードが前記無認可無線周波数スペクトル帯域へのアクセスをその間に譲歩する連続フレームの数を定義する、
請求項１に記載の方法。
【請求項８】
前記ＬＢＴ譲歩パラメータを調整することが、
前記第１のＬＢＴ譲歩パラメータをデフォルト値から増加または減少させること
を備える、請求項７に記載の方法。
【請求項９】
前記ＬＢＴ譲歩パラメータを調整することが、
前記無認可無線周波数スペクトル帯域を介して送信すべき緊急データを有する事業者の前記展開における事業者の総数に基づいて前記ＬＢＴ譲歩パラメータを調整すること
を備える、請求項１に記載の方法。
【請求項１０】
事業者の前記展開において第２の事業者に関連する第２のノードが前記無認可無線周波数スペクトル帯域を介して送信すべき緊急データを有すると決定すること
をさらに備え、
ここにおいて、前記ＬＢＴ譲歩パラメータを調整することが、前記第１のノードの前記ＬＢＴ譲歩パラメータを前記第２のノードの対応するＬＢＴ譲歩パラメータにマッチングすることを備える、
請求項１に記載の方法。
【請求項１１】
前記第２のノードが前記無認可無線周波数スペクトル帯域を介して送信すべき緊急データを有すると決定することが、
前記第２のノードから信号を受信することを備え、前記信号は、前記第２のノードが送信すべき緊急データを有するという指示を備える、
請求項１０に記載の方法。
【請求項１２】
前記第１のノードが送信すべき緊急データを有するという前記決定に応答して前記第１のノードのＣＣＡ機会を調整すること
をさらに備える、請求項１に記載の方法。
【請求項１３】
前記第１のノードの前記ＣＣＡ機会を調整することが、
前記無認可無線周波数スペクトル帯域を介して送信すべき緊急データを有する事業者の前記展開における事業者の総数に基づいて前記ＣＣＡ機会を調整すること
を備える、請求項１２に記載の方法。
【請求項１４】
少なくとも事業者の前記展開において第２の事業者に関連する第２のノードが前記無認可無線周波数スペクトル帯域を介して送信すべき緊急データを有すると決定すること
をさらに備える、請求項１３に記載の方法。
【請求項１５】
最も早いＣＣＡ機会へのアクセスは、前記第１のノードと前記第２のノードの両方が送信すべき緊急データを有する各フレームについてフレームごとに前記第１のノードと前記第２のノードとの間で循環する、請求項１４に記載の方法。
【請求項１６】
前記第１のノードが、基地局またはユーザ機器（ＵＥ）を含む、請求項１に記載の方法。
【請求項１７】
プロセッサと、
前記プロセッサと電子通信しているメモリと、
前記メモリに中に記憶された命令と
を備え、ここにおいて、前記命令が、
事業者の展開において第１の事業者に関連する第１のノードが無認可無線周波数スペクトル帯域を介して送信すべき緊急データを有すると決定することを前記第１のノードに行わせ、
前記第１のノードが送信すべき緊急データを有するという前記決定に応答して前記第１のノードのリッスンビフォアトーク（ＬＢＴ）譲歩パラメータを調整することを前記第１のノードに行わせ、
前記無認可無線周波数スペクトル帯域を介して信号を送信することを前記第１のノードに行わせ、前記信号が、前記第１のノードが送信すべき緊急データを有することを示す、
マルチキャスト送信を介して前記緊急データを送信することを前記第１のノードに行わせる
ように前記プロセッサによって実行可能である、ワイヤレス通信のための装置。
【請求項１８】
前記ＬＢＴ譲歩パラメータが、第１のＬＢＴ譲歩パラメータまたは第２のＬＢＴ譲歩パラメータのうちの１つを備え、
前記第１のＬＢＴ譲歩パラメータが、前記無認可無線周波数スペクトル帯域へのアクセスを譲歩するように事業者の前記展開において前記第１のノードをトリガする連続フレームの数を定義し、
前記第２のＬＢＴ譲歩パラメータは、前記第１のＬＢＴ譲歩パラメータによって定義される前記数の連続フレームの送信に続いて前記第１のノードが前記無認可無線周波数スペクトル帯域へのアクセスをその間に譲歩する連続フレームの数を定義する、
請求項１７に記載の装置。
【請求項１９】
前記ＬＢＴ譲歩パラメータを調整するように前記プロセッサによって実行可能な前記命令が、
前記無認可無線周波数スペクトル帯域を介して送信すべき緊急データを有する事業者の前記展開における事業者の総数に基づいて前記ＬＢＴ譲歩パラメータを調整する
ように前記プロセッサによって実行可能な命令を備える、請求項１７に記載の装置。
【請求項２０】
前記命令が、
前記第１のノードが送信すべき緊急データを有するという前記決定に応答して前記第１のノードのＣＣＡ機会を調整する
ように前記プロセッサによって実行可能である、請求項１７に記載の装置。
【請求項２１】
ワイヤレス通信のためのコードを記憶する非一時的コンピュータ可読媒体であって、前記コードは、事業者の展開において第１の事業者に関連する第１のノードに、
前記第１のノードが無認可無線周波数スペクトル帯域を介して送信すべき緊急データを有すると決定することと、
前記第１のノードが送信すべき緊急データを有するという前記決定に応答して前記第１のノードのリッスンビフォアトーク（ＬＢＴ）譲歩パラメータを調整することと、
クリアチャネルアセスメント（ＣＣＡ）免除送信（ＣＥＴ）を使用して、前記無認可無線周波数スペクトル帯域を介して信号を送信することと、前記信号が、前記第１のノードが送信すべき緊急アップリンクデータを有することを示す、
マルチキャスト送信を介して前記緊急データを送信することと
を行わせるようにプロセッサによって実行可能な命令を備える、非一時的コンピュータ可読媒体。
【請求項２２】
前記信号が、前記第１のノードによる前記緊急データの送信の最大時間スパンの指示をさらに備える、請求項２１に記載の非一時的コンピュータ可読媒体。
【請求項２３】
前記マルチキャスト送信が、マルチメディアブロードキャストマルチキャストサービス（ＭＢＭＳ）に関連する、請求項２１に記載の非一時的コンピュータ可読媒体。
【請求項２４】
前記命令が、前記第１のノードに、
前記第１のノードによる前記緊急データの前記送信中に前記無認可無線周波数スペクトル帯域において利用可能な送信リソースを割り振ること行わせるように前記プロセッサによってさらに実行可能であり、ここにおいて、前記割振りは、
前記無認可無線周波数スペクトル帯域におけるすべての利用可能な送信リソースを前記ＭＢＭＳに割り振ること、または
前記無認可無線周波数スペクトル帯域における利用可能な送信リソースを前記ＭＢＭＳとユニキャストとの間で分割することと、ここにおいて、前記緊急データが前記ＭＢＭＳと前記ユニキャストの両方を介して送信される、
のうちの１つを備える、請求項２３に記載の非一時的コンピュータ可読媒体。
【請求項２５】
前記命令が、前記第１のノードに、
前記第１のノードが前記緊急データを送信することを完了したことを示す第２の信号を送信すること
を行わせるように前記プロセッサによってさらに実行可能である、請求項２１に記載の非一時的コンピュータ可読媒体。
【請求項２６】
前記第２の信号が、クリアチャネルアセスメント（ＣＣＡ）免除送信（ＣＥＴ）を使用して送信される、請求項２５に記載の非一時的コンピュータ可読媒体。